(57)【要約】      （修正有）【課題】除毛処理の際の操作の煩わしさが低減可能な光照射型美容装置を提供する。【解決手段】光照射型美容装置は、肌面に接触する第１の面２１０ａを有する本体２１０と、本体に設けられた開口２１０ｂと、開口に設けられた発光素子２１２と、第１の面から一部を露出させて回転可能に設けられたローラ部２２０とを具備する。また、ローラ部の回転に対応して前記発光素子を発光させる制御部を更に具備し、制御部は、ローラ部の回転に対応して発光素子を複数回発光させ、第１の発光から第２の発光までのローラ部の回転角度は、ローラ部の回転軸に直交する方向に沿う開口の幅の長さと対応する。【選択図】図２
2018033923.tif 000002
【特許請求の範囲】
【請求項１】
肌面に接触する第１の面を有する本体と、
前記本体に設けられた開口と、
前記開口に設けられた発光素子と、
前記第１の面から一部を露出させて回転可能に設けられたローラ部と、
を具備する光照射型美容装置。
【請求項２】
前記ローラ部の回転に対応して前記発光素子を発光させる制御部を更に具備し、
前記制御部は、前記ローラ部の回転に対応して前記発光素子を複数回発光させ、第１の発光から第２の発光までの前記ローラ部の回転角度は、前記ローラ部の回転軸に直交する方向に沿う前記開口の幅の長さと対応することを特徴とする請求項１に記載の光照射型美容装置。
【請求項３】
前記ローラ部の回転に対応して前記発光素子を発光させるための信号を出力する信号出力手段を更に具備し、
前記制御部は、前記信号の出力に対応して前記発光素子を発光させること
を特徴とする請求項２に記載の光照射型美容装置。
【請求項４】
前記信号出力手段は、前記ローラ部に設けられて前記ローラ部と共に回転する第１の部材および前記本体内に固定される第２の部材を有し、
前記第１の部材又は前記第２の部材の一方が、他方の部材を検知する検知手段であることを特徴とする請求項３に記載の光照射型美容装置。
【請求項５】
前記第１の部材が複数設けられ、当該複数の内の１の第１の部材は、他の第１の部材に対して前記ローラ部の回転方向に前記開口の幅分だけずらされて配置され、
前記信号出力手段は、前記ローラ部が１回転する間に、前記第１の部材の数に対応する回数分前記信号を出力することを特徴とする請求項４に記載の光照射型美容装置。
【請求項６】
前記第１の部材又は前記第２の部材の一方は磁石であり、他方は磁気を検知する素子であることを特徴とする請求項４又は５に記載の光照射型美容装置。
【請求項７】
前記第１の面と前記肌面が接触していることを検知する接触検知手段をさらに具備し、
前記制御部は、前記接触検知手段が前記第１の面と前記肌面が接触していることを検知している場合に前記発光素子を発光させ、前記第１の面と前記肌面が接触していることを検知していない場合には記発光素子を発光させないことを特徴とする請求項２ないし６のいずれか一項に記載の光照射型美容装置。
【請求項８】
前記本体と接続される第１の本体部と、使用者が把持可能な把持部を有する第２の本体部とを備える支持部材と、
前記第１の本体部および前記第２の本体部を相対的に回転可能に接続または回転途中で保持するヒンジ部をさらに具備することを特徴とする請求項１ないし７のいずれか一項に記載の光照射型美容装置。
【請求項９】
前記発光素子を発光させるための操作を受け付け、前記第１の本体部および前記第２の本体部が相対的に回転することによって前記支持部材内に収容された状態または前記支持部材から露出した状態が切り替えられるスイッチをさらに具備する
ことを特徴とする請求項８に記載の光照射型美容装置。
【請求項１０】
前記第１の本体部に対する前記第２の本体部の開き角度に対応して、前記発光素子の発光パターンを切り替える発光パターン切り替え部をさらに具備する
ことを特徴とする請求項８または９に記載の光照射型美容装置。
【請求項１１】
前記第１の本体部に前記発光素子を冷却するための風が通流する通風孔が設けられ
前記通風孔は、前記第１の本体部と前記第２の本体部の境界部に配置される
ことを特徴とする請求項８ないし１０のいずれか一項に記載の光照射型美容装置。
【発明の詳細な説明】
【技術分野】
【０００１】
本発明は、光照射型美容装置に関する。
【背景技術】
【０００２】
従来から、ユーザの体毛を肌面上から目立たなくさせる処理（除毛処理）を行うために、体毛に照射される光を生み出すフラッシュランプおよびこの光の出口である照射口を備える光照射型美容装置が知られている（例えば、特許文献１参照）。
【０００３】
この光照射型美容装置では、フラッシュランプの光によって体毛を部分的に焼いたり、毛根にダメージを与えたりすることができる。焼かれた体毛は、脆くなり肌面上から簡単に取り除くことができる。毛根にダメージを与えることで、体毛が再び生えるスピードを抑制することができる。
【先行技術文献】
【特許文献】
【０００４】
【特許文献１】特開２０１２−２３９８７４号
【発明の概要】
【発明が解決しようとする課題】
【０００５】
上記のような光照射型美容装置では、除毛処理の際にユーザが光照射型美容装置の操作を煩わしく思うことがあった。例えば、肌面に対する照射口の位置決めに時間を要する場合があった。
除毛処理の際の操作の煩わしさが低減可能な光照射型美容装置が要望されている。
【０００６】
本発明は、この事情に鑑みてなされたものであり、除毛処理の際の操作の煩わしさが低減可能な光照射型美容装置を提供することを目的とする。
【課題を解決するための手段】
【０００７】
本発明の実施形態の光照射型美容装置は、肌面に接触する第１の面を有する本体と、前記本体に設けられた開口と、前記開口に設けられた発光素子と、前記第１の面から一部を露出させて回転可能に設けられたローラ部とを具備する。
【図面の簡単な説明】
【０００８】
【図１】第１の実施形態の光照射型美容装置１の概略図。
【図２】光照射部２０の斜視図。
【図３】光照射部２０の正面図。
【図４】接触ローラ部２２０の概略図。
【図５】検知部２３０の一部を拡大して示す断面図。
【図６】保持部２３１と開口２１０ｂを模式的に示す図。
【図７】制御基板１３０の機能ブロック図。
【図８】第２の実施形態の検知部３３０の一部を拡大して示す断面図
【図９】光照射型美容装置１の変形例２を示す概略図。
【図１０】光照射型美容装置３を操作部３１２を正面に見た平面図。
【図１１】図１０のＡ−Ａ断面を示す光照射型美容装置３の一部断面図。
【図１２】角度変更が行われた後の光照射型美容装置３を模式的に示す模式図。
【図１３】制御基板３１５の機能ブロック図。
【発明を実施するための形態】
【０００９】
［第１の実施形態］
（光照射型美容装置１について）
【００１０】
以下、第１の実施形態を図１〜７に基づき説明する。図１は、第１の実施形態の光照射型美容装置１の概略図である。図２は、光照射部２０の斜視図である。図３は、光照射部２０の正面図である。図４は、接触ローラ部２２０の概略図である。図５は、検知部２３０の一部を拡大して示す断面図である。図６は、保持部２３１と開口２１０ｂを模式的に示す図である。図７は、制御基板１３０の機能ブロック図である
【００１１】
図１に示すように第１の実施形態の光照射型美容装置１は、装置本体１０および光照射部２０を具備する。
光照射型美容装置１は、除毛処理を行うための装置である。光照射型美容装置１は、光照射部２０からユーザの体（例えば、顔、手、足など）に高輝度の光を照射して、体毛を焼いて除去したり、毛根にダメージを与えたりして体毛の成長や再生を抑制する。
【００１２】
光照射型美容装置１は、ユーザによって肌面上を動かされながら連続的にユーザの肌面に光照射部２０の光を照射する。
【００１３】
（装置本体１０について）
装置本体１０は、先端部１０ａ、後端部１０ｂ、仕切り部１０ｃおよび通風孔１０ｄ，１０ｅ,を備える。装置本体１０には、端子部１１０、操作部１１２、冷却ファン１１４および制御基板１３０が配設される。
【００１４】
装置本体１０は、充電可能な二次電池を備えたり、この二次電池の電力、商用電源の電力などを光照射部２０に入力するための電源ケーブルを備えたり、光照射部２０の光の照射のタイミングを制御するための信号送受信用ケーブルを備えたりすることも出来る。
【００１５】
装置本体１０は、ユーザが片手で持ちやすいように全体的に角部を丸められている。装置本体１０は、全体として緩やかな「く」の字形状を有する（全体的に略円弧形状）。
先端部１０ａには、光照射部２０が着脱自在に装着される。ここで図示は省略したが、先端部１０ａは、光照射部２０を保持するための保持機構を備える。
【００１６】
保持機構は、先端部１０ａから光照射部２０が容易に脱落してしまうことを防止できれば特に限定されない。保持機構は、例えば、磁石である。この場合、光照射部２０の少なくとも一部を金属で形成することが望ましい。先端部１０ａと光照射部２０が、それぞれ反対の極性の磁石を備えてもよい。
【００１７】
後端部１０ｂには、端子部１１０が露出している。
仕切り部１０ｃは、装置本体１０内部の先端部１０ａに位置する。仕切り部１０ｃは、装着された光照射部２０と対面する。ここでは図示を省略したが、仕切り部１０ｃには光照射部２０と電気的に接続される接触端子などが配設される。上記した保持機構を仕切り部１０ｃに設けてもよい。
【００１８】
通風孔１０ｄは、装置本体１０の表面から裏面にかけて貫通する。通風孔１０ｄは、排気口である。
通風孔１０ｅは、仕切り部１０ｃの表面から裏面に貫通する。この実施形態では、通風孔１０ｄは、吸気口である。
【００１９】
端子部１１０は、光照射型美容装置１を商用電源と接続するために設けられる。商用電源によって光照射部２０が光を照射したり、二次電池を充電したりすることができる。端子部１１０は、図示を省略したケーブルによって制御基板１３０と接続される。
【００２０】
操作部１１２は、例えば、スイッチやディスプレイを有する。操作部１１２は、装置本体１０の表面に設けられる。操作部１１２は、通風孔１０ｄの反対側に位置する。スイッチは、例えば、ユーザが光照射型美容装置１のメイン電源をＯＮ・ＯＦＦするためのメインスイッチ、光照射スイッチおよび動作モード切替スイッチである。
【００２１】
光照射スイッチをユーザが操作することによって、ユーザは、手動で、好きなタイミングで光照射部２０から光を照射することができる。
動作モード切替スイッチをユーザが操作することによって、光照射部２０が照射する光の強さを変えたり、光照射スイッチの機能を使用しないようにしたりすることができる。
【００２２】
ディスプレイは、例えば、Ｌｉｇｈｔ  Ｅｍｉｔｔｉｎｇ  Ｄｉｏｄｅ（ＬＥＤ）や液晶画面を備える。ディスプレイによって、ユーザは、現在の光照射型美容装置１のモードを知ることができる。
【００２３】
冷却ファン１１４は、例えば、シロッコファンやターボファンである。冷却ファン１１４は、先端部１０aに取り付けられた光照射部２０および通風孔１０eを介して外気を装置本体１０内部に取り込む（図中の「Air１」参照）。取り込まれた装置本体１０内部の空気は、通風孔１０ｄから出る（図中の「Air２」参照）。
【００２４】
（光照射部２０について）
図２および図３に示すように、光照射部２０は、筐体２１０（肌面に接触する第１の面を有する本体）、キセノン管２１２（発光素子）、透過ガラス２１４、装飾ローラ２１６、接触ローラ部２２０を備える。光照射部２０は、キセノン管２１２の光を肌に照射する。
【００２５】
光照射部２０は、装置本体１０に着脱自在に取り付けられる。この構造によって、例えば、キセノン管２１２が経年劣化した場合に、新しい光照射部２０に取り換えることができる。
【００２６】
筐体２１０は、肌接触面２１０ａ（第１の面）、開口２１０ｂ（第１の面を有する本体に設けられた開口）、ローラ開口２１０ｃ、タッチセンサ部２１０ｄ（接触検知手段）、通風孔２１０ｅを備える。筐体２１０は、キセノン管２１２、透過ガラス２１４および接触ローラ部２２０を収容する。
【００２７】
肌接触面２１０ａは、筐体２１０の正面である。肌接触面２１０ａは、除毛処理時にユーザの肌面と接触する。肌接触面２１０ａの表面は、ユーザの肌面上をなめらかに移動可能なように、ガラスやプラスチックなどでコーティングされることが望ましい。
【００２８】
開口２１０ｂは、肌接触面２１０ａから筐体２１０内部に向かって設けられる。開口２１０ｂからキセノン管２１２の光が照射される。開口２１０ｂは、略長方形状を有する。開口２１０ｂの長辺は、接触ローラ部２２０が備える接触ローラ２２６（第１の面から一部を露出させて回転可能に設けられたローラ部）の回転軸方向に沿っている。
【００２９】
開口２１０ｂの短辺の長さは「接触ローラ２２６の回転軸に直交する方向に沿う幅の長さ」である。ここで「接触ローラ２２６の回転軸に直交する方向に沿う」ことは「光照射型美容装置１の移動方向に沿う」と同じ意味である。「接触ローラ２２６の回転軸」は、接触ローラ軸２２５として後述する。
【００３０】
ローラ開口２１０ｃは、肌接触面２１０ａから筐体２１０内部に向かって設けられる。ローラ開口２１０ｃから接触ローラ２２６の一部が露出している。ローラ開口２１０ｃの周辺は、接触ローラ２２６の回転軸である接触ローラ軸２２５などを収容するために一部が盛り上がっている。
【００３１】
タッチセンサ部２１０ｄは、肌接触面２１０ａにおける開口２１０ｂの周りの部位である。タッチセンサ部２１０ｄは、例えば、静電容量方式のタッチセンサを備える。静電容量方式のタッチセンサは、表面型でも投影型でもどちらでもよい。タッチセンサは、制御基板１３０と電気的に接続される。
【００３２】
ユーザの肌面がタッチセンサ部２１０ｄに接触することによってタッチセンサと制御基板１３０の間に電流が流れたり電圧が印加されたりする。制御基板１３０は、この電流や電圧を検知して開口２１０ｂの周りにユーザの肌面が接触しているか否かを知覚する。タッチセンサ部２１０ｄが電子回路を備え、これらの電流又は電圧をデジタル信号に変換して制御基板１３０に出力してもよい。タッチセンサ部２１０ｄは、接触の有無を示す信号を出力してもよい。例えば、接触有：１，接触無：０である。
【００３３】
タッチセンサは、ユーザの肌面の接触を検知可能であれば、特に限定されない。タッチセンサ部２１０ｄは、例えば、抵抗膜方式、表面弾性波方式、赤外線方式、電磁誘導方式の種々の方式のタッチセンサを備える事ができる。また、タッチセンサ部２１０ｄは、開口２１０ｂ内の照度を検知する照度センサを備えることもできる。照度センサは、例えば、ユーザの肌によって開口２１０ｂが塞がれることで変化する開口２１０ｂ内の照度を検知する。検知された照度によってユーザの肌面がタッチセンサ部２１０ｄに接触しているか否かを制御基板１３０が知覚できる。
【００３４】
通風孔２１０ｅは、筐体２１０の表面から裏面にかけて貫通する。通風孔１０dは、吸気口である。装置本体１０の冷却ファン１１４が駆動することで通風孔２１０ｅから外気が筐体２１０内部に流入する。この流入した空気は、キセノン管２１２を冷却する。通風孔２１０ｅから流入した空気は、装置本体１０内部に流れる。
【００３５】
キセノン管２１２は、開口２１０ｂに配置される。
透過ガラス２１４は開口２１０ｂに嵌め込まれる。透過ガラス２１４は、キセノン管２１２の光に含まれる紫外線をカットする。透過ガラス２１４は、開口２１０ｂ内部にユーザが不用意に指などを入れてしまうことを防止する。
【００３６】
装飾ローラ２１６は、筐体２１０の側面（肌接触面２１０ａとその反対側の装置本体１０と対向する面を接続する面）に設けられる。
装飾ローラ２１６は接触ローラ２２６の回転と対応して回転する。装飾ローラ２１６は、ユーザの肌と接触しないように配設される。
【００３７】
装飾ローラ２１６は、接触ローラ２２６が正常に回転しているか否かを把握するためのローラである。
除毛処理時には、接触ローラ２２６は、ユーザの肌面と接触する。このとき装置本体１０および筐体２１０に隠れて接触ローラ２２６はユーザから見えなくなる。この場合、接触ローラ部２２０が正常に回転しているか否かユーザが把握することが困難である。回転する装飾ローラ２１６を見ることで、ユーザは、接触ローラ部２２０が回転しているか否かを間接的に把握することができる。
【００３８】
（接触ローラ部２２０について）
図４および図５に示すように、接触ローラ部２２０は、基板２２１、軸保持台２２２，２２３、装飾ローラ軸２２４、接触ローラ軸２２５、接触ローラ２２６、接触ローラギア２２７、装飾ローラギア２２８および検知部２３０（信号出力手段）を備える。
【００３９】
基板２２１は、軸保持台２２２，２２３、装飾ローラ軸２２４、接触ローラ軸２２５、接触ローラ２２６、接触ローラギア２２７、装飾ローラギア２２８および検知部２３０を保持する。基板２２１には、検知部２３０と接続される電子回路が形成される。この電子回路は、信号送受信用の接続ピン２２１ａを備える。電子回路は、図示しない電子素子（例えば、ＩＣチップ、抵抗素子、コンデンサ、コイル素子）を備える。
【００４０】
軸保持台２２２，２２３は、柱である。軸保持台２２２，２２３は、基板２２１に設けられる。軸保持台２２２，２２３は、互いに所定の距離をあけて対向する。軸保持台２２２，２２３は、図２に示した開口２１０ｂの長辺に沿って離されて配置される。
【００４１】
軸保持台２２２は、貫通孔２２２ａ，２２２ｂを備える。
貫通孔２２２ａ，２２２ｂは、下（基板２２１側）から上に向かって順に直列配置される。貫通孔２２２ａには、装飾ローラ軸２２４が回転可能に挿入される。貫通孔２２２ｂには、接触ローラ軸２２５が回転可能に挿入される。
【００４２】
軸保持台２２３は、貫通孔２２３ａ，２２３ｂを備える。貫通孔２２３ａ，２２３ｂは、下（基板２２１側）から上に向かって直列配置される。貫通孔２２３ａの配設位置（基板２２１からの高さ）は、貫通孔２２２ａと対応する。同様に、貫通孔２２３ｂの配設位置は、貫通孔２２２ｂと対応する。
【００４３】
貫通孔２２３ａには、装飾ローラ軸２２４が回転可能に挿入される。貫通孔２２３ｂには、接触ローラ軸２２５が回転可能に挿入される。
装飾ローラ軸２２４および接触ローラ軸２２５の長手方向の長さは、軸保持台２２２，２２３間の距離よりも長い。したがって、装飾ローラ軸２２４の左右の端および接触ローラ軸２２５の左右の端は、軸保持台２２２，２２３よりもそれぞれ外側に位置する。
【００４４】
接触ローラ軸２２５および装飾ローラ軸２２４の軸保持台２２２，２２３よりも外側に位置する部位には、図示を省略した係止部材が設けられる。係止部材は、接触ローラ軸２２５が、軸保持台２２２，２２３から脱落してしまうことを防止する。係止部材は、この脱落を防止できる構造であれば特に限定されない。係止部材は、例えば、貫通孔２２２ａ，２２２ｂ，２２３ａおよび２２３ｂの径よりも広いフランジやナットである。フランジやナットが軸保持台２２２，２２３に引っかかることで脱落が防止される。
【００４５】
装飾ローラ軸２２４の左右の端には装飾ローラ２１６がそれぞれ取り付けられる。装飾ローラ軸２２４と装飾ローラ２１６は一体的に回転する。
接触ローラ２２６は、円柱形状を有する。接触ローラ２２６は、ユーザの肌面に当接される。接触ローラ２２６は、接触ローラ軸２２５の中央部に配置される。接触ローラ２２６は、肌面上を転動する。接触ローラ２２６と接触ローラ軸２２５は一体的に回転する。
【００４６】
接触ローラ２２６は、ゴムやプラスチックで形成される。接触ローラ２２６の表面は、ユーザの肌面に対する摩擦力を大きくするための処理（例えば、凹凸加工）が施されている。
【００４７】
接触ローラギア２２７は、接触ローラ軸２２５に設けられる。接触ローラギア２２７は、接触ローラ２２６と軸保持台２２３の間に位置する。接触ローラギア２２７と接触ローラ軸２２５は一体的に回転する。接触ローラギア２２７は、装飾ローラギア２２８と接触する。接触ローラギア２２７が回転すると、装飾ローラギア２２８も回転する。
【００４８】
装飾ローラギア２２８は、装飾ローラ軸２２４に設けられる。装飾ローラギア２２８と装飾ローラ軸２２４は一体的に回転する。
【００４９】
（検知部２３０について）
検知部２３０は、保持部２３１、検知対象２３２ａ，２３２ｂおよびセンサ２３３を備える。
保持部２３１は、装飾ローラ軸２２４に設けられる。保持部２３１は、装飾ローラギア２２８と軸保持台２２２に挟まれている。保持部２３１と、装飾ローラ軸２２４は一体的に回転する。
【００５０】
図５に示すように保持部２３１は、保持孔２３１ａ，２３１ｂを備える。保持部２３１は、検知対象２３２ａ，２３２ｂを収容する。保持部２３１は、円柱形状を有する。
【００５１】
保持孔２３１ａ，２３１ｂは、保持部２３１の側面にそれぞれ設けられる。保持孔２３１ａ，２３１ｂは、保持部２３１の側面から保持部２３１の中心部に向かって設けられる。保持孔２３１ａ，２３１ｂは、保持部２３１の周方向に互いに１８０°ずれている。すなわち、二つの保持孔２３１ａ，２３１ｂは、互いに装飾ローラ軸２２４を挟んで反対側に位置する。
【００５２】
検知対象２３２ａ，２３２ｂは、保持孔２３１ａ，２３１ｂにそれぞれ配設される。検知対象２３２ａ，２３２ｂは、例えば、磁石である。ここでは、検知対象２３２ａ，２３２ｂはネオジウム磁石である。
【００５３】
センサ２３３は、保持部２３１に対応する基板２２１上の位置に固定される。センサ２３３は、検知対象２３２ａ，２３２ｂの磁界を検知する。センサ２３３が検知した磁界の強さに対応する信号（電流又は電圧）が、センサ２３３と制御基板１３０の間に流れたり印加されたりする。
【００５４】
「センサ２３３と制御基板１３０の間に流れたり印加されたりする」ことをここでは「検知部２３０が制御基板１３０に対して信号を出力する」と定義する。制御基板１３０は、この信号の出力に基づいてキセノン管２１２の発光を制御する。
センサ２３３は、例えば、ホール素子を備える。ホール素子に生じた電圧を制御基板１３０が検知する。
【００５５】
センサ２３３が電子回路を備え、電流又は電圧をデジタル信号に変換して制御基板１３０に出力してもよい。センサ２３３は、電流又は電圧の値と所定の閾値を比較することもできる。この比較の結果に対応して、センサ２３３は、検知対象２３２ａ，２３２ｂを検知したことを示すデジタル信号を制御基板１３０に出力してもよい。例えば、センサ２３３は、電流又は電圧の値が閾値以上の場合は、「１：検知対象を検知」、電流又は電圧の値が閾値より低い場合は「０：検知対象を非検知」という旨の信号を出力する。
【００５６】
以上のように構成された接触ローラ部２２０は、接触ローラ２２６が回転することで、接触ローラ軸２２５および接触ローラギア２２７が一体的に回転する。さらに接触ローラギア２２７は、装飾ローラギア２２８を回す。この結果、装飾ローラ軸２２４、保持部２３１、装飾ローラ２１６も回転する。
【００５７】
まとめると、接触ローラ２２６が回転すると、保持部２３１および装飾ローラ２１６が回転する。
【００５８】
保持部２３１が回転すると、センサ２３３に対して検知対象２３２ａが接近する。センサ２３３が検知対象２３２ａの磁界を検知する。さらに保持部２３１が回転（ここでは略１８０°の回転）すると、センサ２３３に対して、今度は検知対象２３２ｂが接近する。センサ２３３は、今度は検知対象２３２ｂの磁界を検知する。
【００５９】
保持部２３１の回転に対応して、センサ２３３は、検知対象２３２ａを検知した信号、検知対象２３２ｂを検知した信号を順に、繰り返し、制御基板１３０に出力する。この信号が制御基板１３０入力されることでキセノン管２１２が発光する。
【００６０】
（保持部２３１および開口２１０ｂの関係について）
次に図６を用いて保持部２３１および装置本体１０の開口２１０ｂの関係について説明する。図６は、保持部２３１の断面を示しており、開口２１０ｂを正面から示している。
【００６１】
図中の一点鎖線は、実線で図示された開口２１０ｂ、センサ２３３および保持部２３１が対応すること、および、破線で図示された開口２１０ｂ、センサ２３３および保持部２３１が対応することを示す仮想線である。
【００６２】
開口２１０ｂは、縦幅ｖ[ｍｍ]×横幅ｈ[ｍｍ]の寸法を有している。縦幅ｖ[ｍｍ]は、開口２１０ｂの短辺の長さであり、横幅ｈ[ｍｍ]は、開口２１０ｂの長辺の長さである。保持部２３１の断面は、円周の長さｃ[ｍｍ]（図示せず）の円形状を有している。
【００６３】
ここで、保持部２３１の円周の長さと開口２１０ｂの縦幅の関係は、次の数式１で表される。
ｖ＝ｃ/a・・・（１）
ｖ：開口２１０ｂの縦幅。
ｃ：保持部２３１の円周の長さ。
ａ：変数
【００６４】
縦幅ｖと円周の長さｃのどちらか一方は、他方に対して数[ｍｍ]程度の誤差があってもよい。変数ａは、０よりも大きい数字である。ここでは変数ａは、検知対象の個数に対応して２である。
【００６５】
「ｃ/２」は、保持部２３１の半周の長さを意味する。すなわち、保持部２３１の半周の長さは、縦幅ｖと略同じことを意味している。保持部２３１が、半周の長さ分回転した時、光照射型美容装置１は、ユーザの肌面上を開口２１０ｂの縦幅ｖ[ｍｍ]分動かされていることになる。
【００６６】
次に、この実施の形態における検知対象の個数とキセノン管２１２の発光に必要な保持部２３１の回転角度θ１について説明する。
検知対象の個数とキセノン管２１２の発光に必要な保持部２３１の回転角度θ１は、次の数式２で表される。
θ1＝３６０/ａ・・・（２）
θ1：キセノン管２１２の第１の発光から第２の発光までに必要な回転角度
ａ ：検知対象の個数。
【００６７】
ここでは、検知対象の個数は、２である（検知対象２３２ａ，２３２ｂ）。従って、第１の発光から第２の発光までに必要な回転角度は１８０°である。
保持部２３１が、この回転角度θ１分だけ回転した時、光照射型美容装置１は、ユーザの肌面上を開口２１０ｂの縦幅ｖ[ｍｍ]分動かされていることになる。
【００６８】
（制御基板１３０について）
次に図７を用いて、制御基板１３０の機能について説明する。図７は、制御基板１３０の機能ブロック図である。
【００６９】
図７に示すように、制御基板１３０は、メモリ部１３１、検知制御部１３２、ファン制御部１３３、電圧変換部１３４および発光制御部１３５を有する。これらの機能は、回路素子（例えば、演算用、メモリ用ＩＣチップ、抵抗素子、コンデンサ、コイル素子）によって実現される。制御基板１３０は、二次電池用の充電回路を備えることもできる。
【００７０】
メモリ部１３１にはファームウェアや種々の閾値、変換テーブルなどが予め記憶されている。
【００７１】
検知制御部１３２は、図１に示す操作部１１２、図２に示すタッチセンサ部２１０ｄおよび図５に示す検知部２３０と接続される。検知制御部１３２は、ユーザによる操作部１１２の操作を検知する。検知制御部１３２には、タッチセンサ部２１０ｄや検知部２３０から出力されたアナログ信号又はデジタル信号が入力される。
検知制御部１３２は、検知部２３０がホール素子を備えている場合、このホール素子に生じた電圧を検知することもできる。
【００７２】
検知制御部１３２は、検知部２３０やタッチセンサ部２１０ｄから入力された電圧や電流の大きさとメモリ部１３１に記憶された閾値とを比較することができる。検知制御部１３２は、タッチセンサ部２１０ｄから入力された電流（又は電圧）が例えば閾値よりも大きい場合、「開口２１０ｂの周りにユーザの肌面が接触していることを示すフラグ」を立てる（例えばデジタル信号の「１」をメモリに保持させる）。
【００７３】
検知制御部１３２は、検知部２３０から入力された電流（又は電圧）が、例えば閾値よりも大きい場合「キセノン管２１２を発光させるフラグ」を立てる（例えばデジタル信号の「１」をメモリに保持させる）。閾値よりも小さい場合「キセノン管２１２を発光させないフラグ」を立てる（例えば、デジタル信号の「０」をメモリに保持させる）。
【００７４】
このフラグは、検知部２３０やタッチセンサ部２１０ｄから入力されたデジタル信号（例えば、「１：検知対象を検知」，「０：検知対象を非検知」という旨の信号）に基づいて立ててもよい。
【００７５】
ファン制御部１３３は、図１に示す冷却ファン１１４と接続される。ファン制御部１３３は、冷却ファン１１４の駆動をＯＮ・ＯＦＦする。
【００７６】
電圧変換部１３４は、商用電源や二次電池から得られる電力を変換する。この変換は、例えば、交流電流を直流電流に整流したり、電圧を昇圧したり降圧したりすることである。電圧変換部１３４が変換した電力は、キセノン管２１２の発光などに使用される。
【００７７】
発光制御部１３５は、メモリ部１３１、検知制御部１３２、ファン制御部１３３、および電圧変換部１３４を制御する。
発光制御部１３５は、キセノン管２１２に供給される電気を一時的に蓄電するコンデンサやこのコンデンサの充電回路を備える。
【００７８】
発光制御部１３５は、コンデンサが蓄えた電気をキセノン管２１２に供給する。この結果、キセノン管２１２が発光する。
【００７９】
（発光の制御例１）
発光制御部１３５は、以下の条件（１）〜（３）がすべて揃った場合に、キセノン管２１２を発光させる。
【００８０】
（１）「開口２１０ｂの周りにユーザの肌面が接触していることを示すフラグ」が立っている。
（２）「キセノン管２１２を発光させるフラグ」が立っている。
（３）キセノン管２１２を発光させるのに必要な分だけの電気がコンデンサに蓄電されている。
【００８１】
（発光の制御例２）
発光制御部１３５は、以下の条件（１）及び（２）が揃ったときもキセノン管２１２を発光させる。
（１）検知制御部１３２がユーザによる操作部１１２の操作（例えば、手動発光ボタンの押下操作）を検知する。
（２）キセノン管２１２を発光させるのに必要な分だけの電気がコンデンサに蓄電されている。
【００８２】
以上説明したように、光照射型美容装置１ではキセノン管２１２の光を肌に照射することで除毛処理が行える。
【００８３】
（効果）
以上のように構成された光照射型美容装置１によれば、除毛処理の際の操作の煩わしさを低減させることができる。
（効果の具体例）
【００８４】
（１）接触ローラ２２６を備える事によって、接触ローラ２２６によって光照射型美容装置１を肌面上でスムーズに移動させることができる。
【００８５】
ここで、従来の製品（以下、単に「装置」と称す。）の除毛処理時の操作の一例を説明する。この装置は、フラッシュランプや肌面にフラッシュランプの光を照射するための照射口を備える。このような装置では、１）除毛処理を行いたい部位にフラッシュランプの光を照射した後、２）装置を持ち上げて一旦肌面から離し、３）別の除毛処理を行いたい部位に装置を当接させ、４）フラッシュランプの光を新しく当接した肌面に照射することで除毛処理を行うことができる。
【００８６】
この場合、除毛処理を行いたい部位の数だけ、装置の持ち上げ及び除毛処理を行いたい部位への当接を繰り返すことになる。
持ち上げた装置を除毛処理を行いたい部位に当接させる作業は、ユーザにとって、縦、横、奥行きの３次元的な操作になる。この場合、ユーザの思っていた場所と違う場所に装置を当接してしまったり、装置を持つ腕が疲れてしまったりする場合がある。
【００８７】
この除毛処理方法では、ユーザは、除毛処理を行いたい部位ごとに照射口の位置を決める必要があるが、ユーザの思っていた場所と違う場所に装置を当接してしまうことや、腕の疲れによりこの位置決めに時間を要する場合がある。
【００８８】
光照射型美容装置１では、接触ローラ２２６を備える事によって、光照射型美容装置１を肌面上でスムーズにかつ肌面に沿って１次元的に移動させることができる。このことにより、ユーザの思っていた場所と違う場所に光照射型美容装置１を当接してしまったり、光照射型美容装置１を持つ腕が疲れてしまったりすることを防止することができる。結果として、当接作業に起因する開口２１０ｂの位置を速やかに決めることができる。
【００８９】
（２）光照射型美容装置１では、接触ローラ２２６の回転に同期して検知部２３０が回転し、光照射型美容装置１が開口２１０ｂの縦幅ｖ[ｍｍ]分移動するごとにキセノン管２１２が発光する。この結果、キセノン管２１２の光を開口２１０ｂの縦幅ごとに連続して除毛対象に照射することができる。
【００９０】
このことにより、照射ムラを低減できるし、除毛処理を行いたい部位ごとにユーザがキセノン管２１２のトリガーボタンを押す必要がない。また、除毛処理を行いたい部位ごとに開口２１０ｂの位置決めを行うことを意識する必要がない。
【００９１】
照射ムラの１つの意味は「キセノン管２１２の第１の発光によって光が照射された肌面上の範囲と、第２の発光によって光が照射された肌面上の範囲が離れることで、光が照射されない範囲ができてしまう」ことである。この光が照射されない範囲では除毛効果が得られないので、再度キセノン管２１２の光を照射する必要がある。
【００９２】
照射ムラの１つの意味は「キセノン管２１２の第１の発光によって光が照射された肌面上の範囲と、第２の発光によって光が照射された肌面上の範囲が重なることで、キセノン管２１２の光が他の除毛対象の部位よりも必要以上に多く照射される部位が出てしまうこと」である。
【００９３】
（変形例１）
以上、第１の実施形態の光照射型美容装置１について説明した。光照射型美容装置１は種々の変形が可能である。
【００９４】
（１）検知対象２３２ａ，２３２ｂとセンサ２３３を入れ替えてもよい。すなわち、保持部２３１が、検知対象２３２ａ，２３２ｂに対応する二つのセンサを備え、基板２２１が、センサ２３３に対応する一つの検知対象を備える。
【００９５】
（２）検知対象２３２ａ，２３２ｂは、発光素子（例えば、ＬＥＤ）でもよい。センサ２３３は、受光素子（例えば、フォトダイオード）でもよい。
【００９６】
（３）接触ローラ２２６又は接触ローラ軸２２５が検知部２３０の各要素を備えてもよい。この場合、光照射型美容装置１は装飾ローラ軸２２４。装飾ローラギア２２８、装飾ローラ２１６を備えなくともよい。この結果、光照射部２０を薄型にできる。
【００９７】
（４）光照射型美容装置１は、検知対象２３２ａ，２３２ｂのうち、どちらか一方を備えればよい。さらに、保持部２３１の円周の長さを開口２１０ｂの縦幅よりも短くしてもよい。例えば、半分の長さにしてもよい。この場合、発光制御部１３５は、保持部２１３が２回転するごとにキセノン管２１２を発光させる。
【００９８】
（５）検知部２３０は、機械的な接触センサでもよい。
（６）肌接触面２１０ａが、ユーザの肌面に電流を流すための電極を備えてもよい。ユーザの肌面に電流を流すことで、筋肉を強制的に運動させることができる。この結果、老廃物を除去したり、肌に「つや」や「張り」を与えたりする効果を期待できる。
【００９９】
（７）開口２１０ｂの形状を変更してもよい（例えば、矩形状、三角形状、台形状、真円形状、楕円形状、星形状など）。
【０１００】
（８）光照射型美容装置１が、加速度センサを備えてもよい。加速度センサは光照射型美容装置１が動かされていることを検知する。発光制御部１３５は、加速度センサが「光照射型美容装置１が動かされていること」を検知している場合にキセノン管２１２を発光させ、光照射型美容装置１が動かされていない場合にはキセノン管２１２を発光させない（安全性の向上）。
【０１０１】
（９）装置本体１０と光照射部２０を一体形成してもよい。
（１０）光照射部２０は、ハロゲンランプやＬＥＤランプを備えてもよい。
【０１０２】
（１１）キセノン管２１２の近傍に温度センサを配置してもよい。温度センサは例えばサーミスタである。発光制御部１３５は、温度センサの温度に対応してキセノン管２１２を発光させる。この結果、高温によるキセノン管２１２の故障を防止することができる。
【０１０３】
（１２）光照射部２０の開口２１０ｂを覆うフィルター付きのアタッチメントを、筐体２１０に取り付けてもよい。アタッチメントは、例えば磁石によって筐体２１０に取り付けられる。フィルターは、バンドパスフィルター，ローパスフィルター、ハイパスフィルターのいずれかである。特定の波長の光を取りだして、ユーザの肌面に供給することができる。この特定の波長の光によって肌を美しくする効果を期待できる。
【０１０４】
（１３）筐体２１０や上記（１２）のアタッチメントがペルチェ素子を備えてもよい。ペルチェ素子は、ユーザの肌に温感や冷感をあたえる。ペルチェ素子は、キセノン管２１２の光で温まった肌の温度を下げることができる。
【０１０５】
（１４）装置本体１０、肌接触面２１０ａ又は上記（１２）のアタッチメントが電極を備えてもよい。この電極は、例えばイオン導入やイオン導出に使用される。
【０１０６】
イオン導入とは、微弱な電流を使って、ビタミンC誘導体やプラセンタを肌の奥へと浸透させることを目的とした美容方法を指す。
イオン導出とは、イオン導入とは逆方向に微弱な電流を流して、肌の汚れ（例えば、古い角質）を除去することを目的とした美容方法を指す。
【０１０７】
例えば、装置本体１０の電極は陽極であり、筐体２１０の電極は陰極である。ユーザは、装置本体１０の電極を握り筐体２１０の電極を肌面に当てることでユーザの体に微弱な電流を流すことができる。
（１５）接触ローラ軸２２５が装飾ローラ２１６を備えてもよい。
【０１０８】
［第２の実施形態］
次に、本発明の第２の実施形態の光照射型美容装置２を図８に基づき説明する。図８は、第２の実施形態の光照射型美容装置２が備える検知部３３０（信号出力手段）の模式図である。
【０１０９】
図８では、図５に示した第１の実施形態中の構成要素と同一の構成要素については、同一の符号を付与し、その説明を省略する。
【０１１０】
検知部３３０は、第１の実施形態の検知部２３０に対応する。検知部３３０は、検知対象２３２ａ，２３２ｂおよびセンサ３３３ａ、３３３ｂを備える。
検知対象２３２ａ，２３２ｂは、保持部２３１の周方向に互いに１８０°ずれており、かつ、保持部２３１の長軸方向（２２４装飾ローラ軸２２４が伸びる方向）に沿って互いにずれている。
【０１１１】
センサ３３３ａ、３３３ｂは、センサ２３３ａ，２３３ｂと対応する。センサ３３３ａは、検知対象２３２ａに対応する基板２２１上の位置に固定される。センサ３３３ａは、検知対象２３２ａの磁界を検知する。
【０１１２】
センサ３３３ｂは、検知対象２３２ｂに対応する基板２２１上の位置に固定される。センサ３３３ｂは、検知対象２３２ｂの磁界を検知する。
【０１１３】
光照射型美容装置２では、発光制御部１３５（図７参照）は、センサ３３３ａ，３３３ｂを個別に識別することができる。発光制御部１３５は、センサ３３３ａ、３３３ｂから出力された信号に基づいてキセノン管２１２を発光させる。
【０１１４】
発光制御部１３５は、センサ３３３ａから出力された信号に基づいてキセノン管２１２を発光させた場合、次は、センサ３３３ｂから信号の出力がないとキセノン管２１２を発光させない。
【０１１５】
つまり、この実施形態の発光制御部１３５は、同じセンサ（例えばセンサ３３３ａ）から連続して信号が出力された場合、２回目以降の信号が入力されてもキセノン管２１２を発光させない。
【０１１６】
光照射型美容装置２が肌面上を往復するように操作される場合がある。往路において例えば、センサ３３３ａから出力された信号に基づいてキセノン管２１２が一度発光する。このあと、光照射型美容装置２がすぐに逆方向（復路方向）に動かされる。
【０１１７】
復路において、センサ３３３ａが検知対象２３２ａを検知するので、センサ３３３ａは、往路と復路とでこの検知の信号を連続的に出力する。復路における信号に基づいてキセノン管２１２が発光すると、往路において一度照射された部位に対して、短時間の内にもう一度キセノン管２１２の光が照射されることになる。
【０１１８】
往路においてすでに除毛処理が行われており、復路においてもう一度キセノン管２１２の光が照射されても除毛効果が薄い場合がある。キセノン管２１２の発光に使用される電力が無駄になってしまう場合がある。
光照射型美容装置２では、このような電力の無駄を防止することができる。
光照射型美容装置２における発光制御部１３５のキセノン管２１２に対する制御は、ユーザが操作部１１２を操作することでいつでも解除が可能であることが望ましい。
【０１１９】
（変形例２）
以上、本発明のいくつかの実施形態および変形例を説明したが、これらの実施形態および変形例は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１２０】
（１）例えば、図９に示すように接触ローラ２２６に対応する複数の接触ローラ２２６ａ〜２２６ｈを肌接触面２１０ａが備えてもよい。図９は、光照射型美容装置１又は光照射型美容装置２の変形例２を示す概略図である。
【０１２１】
接触ローラ２２６ａ〜２２６ｈによって光照射型美容装置１および光照射型美容装置２を肌面上で移動させやすくなる。
光照射型美容装置１は、接触ローラ２２６ａ〜２２６ｈに対応させて接触ローラ部２２０の各要素（例えば、検知部２３０）を複数備えてもよい。
【０１２２】
接触ローラ２２６ａ〜２２６ｇのいくつかは備えなくてもよい。例えば、接触ローラ２２６ａ、２２６ｃ、２２６ｅおよび２２６ｇを備えず、ローラ２２６ｂ、２２６ｄ、２２６ｆおよび２２６ｈなどが全体として十字型に配置されてもよい
【０１２３】
光照射型美容装置１は、接触ローラ軸２２５を接触ローラ２２６ａ〜２２６ｇに対応させて複数備えてもよい（図９の接触ローラ軸２２５ａ〜２２５ｇ参照）。この場合、接触ローラ２２６ａ〜２２６ｇはそれぞれ独立して回転する。
【０１２４】
接触ローラ軸２２５ａ、２２５ｂおよび２２５ｃは、一本化できる。この場合、接触ローラ２２６ａ、２２６ｂおよび２２６ｃは、一体的に回転する。接触ローラ軸２２５ｈ、２２５ｄも同様である。この場合、接触ローラ２２６ｈおよび２２６ｄは、一体的に回転する。
【０１２５】
接触ローラ軸２２５ｅ、２２５ｆおよび２２５ｇも同様である。この場合、接触ローラ２２６ｅ、２２６ｆおよび２２６ｇは、一体的に回転する。
複数の接触ローラ２２６ａ〜２２６ｇの少なくとも一つが、タッチセンサ部２１０ｄの機能を備えてもよい。複数の接触ローラ２２６ａ〜２２６ｇの少なくとも一つが、ボール形状を有していいてもよい。
（２）第１、第２の実施形態および変形例１、２の要素を適宜組み合わせることもできる。
【０１２６】
［第３の実施形態］
次に、本発明の第３の実施形態の光照射型美容装置３を図１０〜図１２に基づき説明する。図１０は、光照射型美容装置３を操作部３１２を正面に見た平面図である。図１１は、図１０のＡ−Ａ断面を示す光照射型美容装置３の一部断面図である。図１２は、図１０のＡ−Ａ断面を示し、角度変更が行われた後の光照射型美容装置３を模式的に示す模式図である。図１２の破線は、ユーザの手を示している。
【０１２７】
以下、図１〜図９に示した第１および第２の実施形態や各変形例の構成要素と同一の構成要素については、同一の符号を付与し、その説明を省略する。
【０１２８】
図１０に示すように光照射型美容装置３は、光照射部２０ａ、装置本体３０（支持部材）およびヒンジ３１を具備する。
【０１２９】
（光照射部２０ａについて）
光照射部２０ａは、図３に示した光照射部２０の変形例であり、図１１に示すように、光照射部２０が備える通風孔２１０ｅ、接触ローラ２２６の配置が変更されている。光照射部２０ａのこれら以外の構成および機能は、光照射部２０と同様である。
【０１３０】
（装置本体３０について）
装置本体３０は、第１筐体部３１０（第１の本体部）および第２筐体部３２０（第２の本体部）を備える。装置本体３０は、図１に示した装置本体１０に対応する。
（第１筐体部３１０について）
第１筐体部３１０は、先端部３１０ａ、後端部３１０ｂを備える。第１筐体部３１０には、操作部３１２、冷却ファン３１４および制御基板３１５が配設される。
【０１３１】
先端部３１０ａは、図１に示した先端部１０ａと対応する。先端部３１０ａには、光照射部２０ａが着脱自在に装着（接続）される。ここでは図示を省略したが、先端部３１０ａには、光照射部２０ａを保持するための保持機構や光照射部２０ａと電気的に接続される接触端子が設けられる。
【０１３２】
後端部３１０ｂは、対向面３１０ｃを備える。後端部３１０ｂには、ヒンジ接続部３１０ｄおよび通風孔３１０ｅが設けられる。後端部３１０ｂは、第２筐体部３２０との境界部に位置する。
【０１３３】
対向面３１０ｃは、第２筐体部３２０と対向している。対向面３１０ｃは、傾斜面であり、光照射部２０ａの肌接触面２１０ａに対して所定の角度（例えば１０度以上）傾いている。対向面３１０ｃは、操作部３１２に近い方の部位が肌接触面２１０ａから最も遠く、冷却ファン３１４に向かって傾斜するに従って、肌接触面２１０ａに近づいていく。
【０１３４】
ヒンジ接続部３１０ｄは、第２筐体部３２０に向かって対向面３１０ｃから突き出た部位である。ヒンジ接続部３１０ｄは、第２筐体部３２０に挿入される。ヒンジ接続部３１０ｄには、ヒンジ３１の一部が取り付けられる。
【０１３５】
通風孔３１０ｅは、図１に示した通風孔１０ｄに対応する。通風孔３１０ｅは、対向面３１０ｃから第１筐体部３１０の内部に向かう貫通孔である。通風孔３１０ｅには、光照射部２０ａが備えるキセノン管２１２を冷却するための風（図１１中の「Ａｉｒ」参照）が通流する。
【０１３６】
通風孔３１０ｅは、風が通流する構成であれば、吸気孔として設けられても排気孔として設けられてもどちらでも差し支えない。
通風孔３１０ｅと第２筐体部３２０の間には、わずかに隙間が設けられている（図１１中の符号「ｃ」参照））。このため、通風孔３１０ｅが第２筐体部３２０によって塞がれてしまうことはない。
【０１３７】
操作部３１２、冷却ファン３１４および制御基板３１５は、図示はしないネジや接着剤、保持部などにより第１筐体部３１０に取り付けられる。この「保持部」は例えば、第１筐体部３１０内に設けられた柱３１０ｆや台座３１０ｇである。
【０１３８】
操作部３１２は、図１に示した操作部１１２と対応する。ここでは、操作部３１２は、メイン電源をＯＮまたはＯＦＦにするためのスイッチである。操作部３１２は、第１筐体部３１０の側面部（先端部３１０ａと後端部３１０ｂを接続している部位）に設けられている。
【０１３９】
冷却ファン３１４は、図１に示した冷却ファン１１４に対応する。冷却ファン３１４は、キセノン管２１２を冷却するための風をおこす。
【０１４０】
制御基板３１５は、図１に示した制御基板１３０と対応する。制御基板３１５は、冷却ファン３１４の駆動、キセノン管２１２の発光を制御したり、ユーザによる操作部３１２の操作を検知したりする。
【０１４１】
（第２筐体部３２０について）
第２筐体部３２０は、先端部３２０ａ、後端部３２０ｂおよび側面部３２０ｃ（把持部）を備える。第２筐体部３２０には、操作スイッチ３２２、コンデンサ３２３およびセンサ部３２４が配設される。第２筐体部３２０は、第１筐体部３１０の通風孔３１０ｅと対応する通風孔を備えることもできる。
【０１４２】
第２筐体部３２０は、ヒンジ３１を介して第１筐体部３１０に取り付けられ、かつ第１筐体部３１０と相対的に回転する。換言すれば、第１筐体部３１０および第２筐体部３２０は、ヒンジ３１によって互いに開閉可能に接続される。
【０１４３】
第２筐体部３２０の先端部３２０ａから後端部３２０ｂまでの長さと、第１筐体部３１０の先端部３１０ａから後端部３１０ｂまでの長さは略等しいことが望ましい。
【０１４４】
先端部３２０ａは、対向面３２０ｄを備える。先端部３２０ａには、ヒンジ収容部３２０ｅ、ヒンジ接続部３２０ｆ、スイッチ収容部３２０ｇおよび貫通孔３２０ｈが設けられる。先端部３２０ａは、第１筐体部３１０との境界部に位置する。
【０１４５】
対向面３２０ｄは、第１筐体部３１０の対向面３１０ｃと対向している。対向面３２０ｄは、傾斜面であり、肌接触面２１０ａに対して所定の角度（例えば１０度以上）傾いている。
【０１４６】
ヒンジ収容部３２０ｅは、ヒンジ３１を収容する空間である。ヒンジ収容部３２０ｅには、第１筐体部３１０のヒンジ接続部３１０ｄが配置される。
【０１４７】
ヒンジ接続部３２０ｆは、ヒンジ収容部３２０ｅに表面を露出させて設けられる。ヒンジ接続部３２０ｆは、ヒンジ収容部３２０ｅに設けられた柱状の部材またはヒンジ収容部３２０ｅを囲う壁面である。ヒンジ接続部３２０ｆには、ヒンジ３１の一部が取り付けられる。
【０１４８】
スイッチ収容部３２０ｇは、操作スイッチ３２２を収容する空間である。スイッチ収容部３２０ｇは、対向面３２０ｄに設けられている。
【０１４９】
貫通孔３２０ｈは、対向面３２０ｄからヒンジ収容部３２０ｅに連通する。貫通孔３２０ｈを介して、第１筐体部３１０のヒンジ接続部３１０ｄがヒンジ収容部３２０ｅ内に挿入される。
【０１５０】
後端部３２０ｂは図１に示した後端部１０ｂと対応する。後端部３２０ｂには、端子部１１０が配置される。
【０１５１】
操作スイッチ３２２およびコンデンサ３２３は、図示はしないネジや接着剤、保持部などにより第２筐体部３２０に取り付けられる。この「保持部」は例えば、第２筐体部３２０内に設けられた柱３２０ｋや台座３２０ｍである。
【０１５２】
操作スイッチ３２２やコンデンサ３２３は、図示はしない配線によって、端子部１１０、第１筐体部３１０の制御基板３１５または光照射部２０ａのキセノン管２１２などと電気的に接続される。
【０１５３】
第２筐体部３２０から第１筐体部３１０への配線は、第１筐体部３１０と第２筐体部３２０の相対的な回転によって断線してしまわないように、例えば、ヒンジ３１の近傍を通るように配設される。このような配線は、例えばノート型のパソコンなどで一般的に行われている。
【０１５４】
操作スイッチ３２２は、スイッチ収容部３２０ｇに設けられる。操作スイッチ３２２は、制御基板３１５と電気的に接続されている。操作スイッチ３２２は、第１筐体部３１０および第２筐体部３２０が相対的に回転することによって装置本体３０に収容された状態（図１１参照）または装置本体３０から露出した状態（図１２参照）が切り替えられる。
【０１５５】
図１２に示すように、ユーザは、装置本体３０から露出した状態の操作スイッチ３２２を例えば親指（図１２の符号Ｆ参照）で押下することができる。操作スイッチ３２２が押下されるとキセノン管２１２が発光する。
【０１５６】
操作スイッチ３２２は、少なくとも操作スイッチ３２２の近傍の対向面３２０ｄと水平となるように配置される。上記したように、対向面３２０ｄは、肌接触面２１０ａに対して傾斜しているので、操作スイッチ３２２もまた全体的に、肌接触面２１０ａに対して所定の角度傾いている。
コンデンサ３２３は、キセノン管２１２の発光に必要な電力蓄積する。
【０１５７】
ヒンジ３１は、基部３１ａ、第１接続部３１ｂおよび第２接続部３１ｃを備える。
第１接続部３１ｂおよび第２接続部３１ｃは、基部３１ａの中心軸Ｐを回転軸として互いに相対的に回転可能なように基部３１ａに設けられる。
【０１５８】
ヒンジ３１として、任意の角度で安定的に停止するヒンジを適用できる。このような機能を備えるヒンジは、例えば、トルクヒンジやフリーストップヒンジと呼ばれる。
【０１５９】
第１接続部３１ｂは、第１筐体部３１０のヒンジ接続部３１０ｄに取り付けられる。第２接続部３１ｃは、第２筐体部３２０のヒンジ接続部３２０ｆに取り付けられる。
第１接続部３１ｂと第２接続部３１ｃが相対的に、例えば９０度回転した場合、これに対応して第１筐体部３１０と第２筐体部３２０も互いに相対的に９０度回転する。
【０１６０】
なお、図１１は、第１接続部３１ｂと第２接続部３１ｃが最も接近している状態を示しており、この状態のとき第１接続部３１ｂに対する第２接続部３１ｃの開き角度（回転方向の相対的な角度）は０度である。
【０１６１】
第１接続部３１ｂに対する第２接続部３１ｃの開き角度が大きくなるように、ユーザが、第１筐体部３１０および第２筐体部３２０に力を込めると、図１２に示すように、第１筐体部３１０および第２筐体部３２０は、中心軸Ｐを回転軸として互いに相対的に回転する。
【０１６２】
ユーザが力を抜いた時点で、第１接続部３１ｂおよび第２接続部３１ｃ（第１筐体部３１０および第２筐体部３２０）の回転が停止する。ヒンジ３１は、次にユーザが第１筐体部３１０および第２筐体部３２０に力を込めるまで、ユーザが力を抜いた時点での第１接続部３１ｂおよび第２接続部３１ｃ（第１筐体部３１０および第２筐体部３２０）の開き角度を保持する。
【０１６３】
なお、第１接続部３１ｂおよび第２接続部３１ｃは、図１０の矢印Ａｒの方向に回転しもよい。
【０１６４】
光照射型美容装置３が肌面上で押し引きされ、または、肌面に押し付けられているときには、第１接続部３１ｂおよび第２接続部３１ｃが互いに回転しない程度の回転方向の固さ（回転の抵抗の強さ）をヒンジ３１が有することが望ましい。
【０１６５】
光照射型美容装置３が肌面上で押し引きされていることや肌面に押し付けられていることをセンサで検知し、ヒンジ３１が回転しないようなロック機構を光照射型美容装置３が備えてもよい。ロック機構として、例えば、ソレノイドを用いた電磁弁によってヒンジ３１の回転を阻害する機構が考えられる。
【０１６６】
センサ部３２４は、第１接続部３１ｂと第２接続部３１ｃの開き角度を検知するためのポジションセンサーである。
センサ部３２４は、検知結果（例えば、角度の値を示すデジタル信号や、電流や電圧によるアナログ信号）を制御基板３１５に出力する
【０１６７】
センサ部３２４は、例えば、ロータリーエンコーダを有する。ロータリーエンコーダは、ヒンジ３１に取り付けられ、第１接続部３１ｂを基準とした第２接続部３１ｃの回転角度を検知する。
【０１６８】
センサ部３２４は、照度センサを有してもよい。照度センサは、例えば、ヒンジ収容部３２０ｅ内の照度を計測する。計測された照度は、第１筐体部３１０と第２筐体部３２０の開き角度に換算される。
【０１６９】
センサ部３２４は、第１接続部３１ｂと第２接続部３１ｃの開き角度ではなく、第１筐体部３１０と第２筐体部３２０の開き角度を検知してもよい。センサ部３２４としてホールセンサを有してもよい。
【０１７０】
（制御基板３１５について）
次に、図１３を用いて制御基板３１５の機能について説明する。図１３は、制御基板３１５の機能ブロック図である。制御基板３１５は、図１に示した制御基板１３０と対応する。
【０１７１】
制御基板３１５は、メモリ部１３１、検知制御部１３２、ファン制御部１３３、電圧変換部１３４および発光制御部３１６（発光パターン切り替え部）を有する。
これらの機能は、回路素子（例えば、演算用、メモリ用ＩＣチップ、抵抗素子、コンデンサ、コイル素子）によって形成される制御回路によって実現される。
【０１７２】
発光制御部３１６は、発光制御部１３５と対応する。発光制御部３１６は、センサ部３２４から出力された演算結果に基づいて第１接続部３１ｂと第２接続部３１ｃ（または第１筐体部３１０と第２筐体部３２０）の開き角度を演算する。
【０１７３】
この演算の一例は、メモリ部１３１に記憶された変換テーブルを参照して、センサ部３２４から出力された検知結果（例えば、電流値、電圧値または照度の値）を角度に換算することである。検知結果が角度の値を示すデジタル信号の場合、この換算の工程を省略することができる。
【０１７４】
発光制御部３１６は、開き角度に対応させてキセノン管２１２の発光パターンを切り替える。
【０１７５】
（発光パターンの例）
（１）第１の発光パターン（開き角度：０度）
図１１に示すように第１接続部３１ｂと第２接続部３１ｃの開き角度が０度の場合、発光制御部３１６は、第１、第２の実施形態または各変形例と同様の発光パターンとなるようにキセノン管２１２を発光させる。すなわち、発光制御部３１６は、接触ローラ２２６の回転に対応させてキセノン管２１２を発光させる。
【０１７６】
（２）第２の発光パターン（開き角度：４５度以上）
図１２に示すように第１接続部３１ｂと第２接続部３１ｃの開き角度が４５度以上の場合、発光制御部３１６は、接触ローラ２２６の回転に対応させてキセノン管２１２を発光させることはせず、操作スイッチ３２２が押下されたときのみキセノン管２１２を発光させる。この場合、操作スイッチ３２２が１回押下されるとキセノン管２１２は１回発光する。
【０１７７】
（３）第３の発光パターン（開き角度：０度より大きく４５度より小さい）
第１接続部３１ｂと第２接続部３１ｃの開き角度が０度より大きく４５度より小さい場合、発光制御部３１６は、接触ローラ２２６の回転に対応させてキセノン管２１２を発光させることはせず、操作スイッチ３２２が押下されたときに連続的にキセノン管２１２を発光させる。この場合、操作スイッチ３２２が１回押下されるとキセノン管２１２は複数回発光する。
【０１７８】
（４）発光パターンの変形例
キセノン管２１２を第１の発光パターンで発光させる条件となる開き角度は、０度に限定されず、例えば０度以上１５度以下の場合、キセノン管２１２を第１の発光パターンで発光させるように構成してもよい。
【０１７９】
開き角度に対応するパターンを更に細かく区分してもよい。更に細かく区分されたパターンは、発光から次の発光までの間隔、発光回数またはキセノン管２１２の発光強度を異ならせることで差別化できる。
【０１８０】
キセノン管２１２の発光強度を異ならせる場合、例えば、第１のパターンなら、他の発光パターンよりも弱くなり、第２の発光パターンなら発光パターンの中の一番強くなり、第３の発光パターンなら中間の強さとなるようにキセノン管２１２が制御される。
【０１８１】
また、操作スイッチ３２２が押されている期間中は、キセノン管２１２が連続発光（連続的に点滅を繰り返す）し、操作スイッチ３２２が押されなくなったらキセノン管２１２の発光を停止するようにしてもよい。
【０１８２】
また、操作スイッチ３２２が押されている期間中に接触ローラ２２６が回転したことに対応してキセノン管２１２を発光させるようにしてもよい。
【０１８３】
なお、上記したパターンのいずれにおいても、光照射部２０ａの開口２１０ｂの周りにユーザの肌面が接触していない場合には、キセノン管２１２を発光させないことが望ましい。
【０１８４】
（効果について）
以上のように構成された光照射型美容装置３によれば、除毛処理の際の操作の煩わしさを低減させることができる。
【０１８５】
（具体例）
（１）図１１に示すように第１接続部３１ｂと第２接続部３１ｃの開き角度が０度の状態の光照射型美容装置３によれば、第１および第２の実施形態や各変形例と同様の効果を得ることができる。
【０１８６】
（２）光照射型美容装置３によれば、ヒンジ３１によって、除毛処理を行いたい部位に合わせて、第１筐体部３１０および第２筐体部３２０の開き角度をユーザが一番持ちやすい角度に調整することができる（除毛処理における操作性の向上）。
【０１８７】
除毛処理対象の肌面に効果的にキセノン管２１２の光を照射するには、この肌面に対して光照射部２０ａの開口２１０ｂが可能な限り水平の状態で当接されることが望ましい。このように当接する場合、必然的に第１筐体部３１０と肌面がなす角度は略直角となる。
【０１８８】
肩や肘の上げ下げや曲げ伸ばし、手首の回転によって第１筐体部３１０と肌面がなす角度を直角にすることは容易であるが、人体は、曲面を多く有しており、また、除毛対象の肌面の肩からの距離もまちまちであるので、ユーザが除毛を行いたいと思う部位によっては肩、肘や手首に負担が掛かることがある。
【０１８９】
したがってユーザが除毛を行いたいと思う部位によっては、図１１に示すように、第１筐体部３１０および第２筐体部３２０が直線状（第１筐体部３１０および第２筐体部３２０の開き角度が略１８０度）に配列されていた方が、肘や手首の負担が少ない場合や図１２に示すように、第１筐体部３１０と第２筐体部３２０が相対的に回転していた方が肩や肘や手首の負担が少ない場合がある。
【０１９０】
例えば、脚や腕など身体の他の部位に比べて平坦な面が長く続き、光照射型美容装置３を持つ方の肩からの距離が遠い部位の除毛を行うときには、第１筐体部３１０および第２筐体部３２０が直線状に配列されていた方が、肩や肘や手首の負担が少なく、光照射型美容装置３の操作性が良い場合が多い。
【０１９１】
脇や顔など、脚や腕などと比べて面積が狭く、また、光照射型美容装置３を持つ方の肩からの距離が脚や腕などと比べて近い部位の除毛を行うときには、第１筐体部３１０に対して第２筐体部３２０が回転していた方が、肩や肘や手首の負担が少なく、光照射型美容装置３の操作性が良い場合が多い。
【０１９２】
また、背中や首筋など、ユーザにとって死角になる部位の除毛を行うときにも第１筐体部３１０に対して第２筐体部３２０が回転していた方が、肩や肘や手首の負担が少なく、光照射型美容装置３の操作性が良い場合が多い。
【０１９３】
光照射型美容装置３によれば、除毛処理対象の肌面の位置に対応させて第１筐体部３１０に対する第２筐体部３２０の角度を可変させることができるので、操作性の良い状態で身体のさまざまな部位に対して除毛処理を施すことができる。
操作性を良くすることでユーザが除毛処理を煩雑に思うことを防止することができる。
【０１９４】
（３）光照射型美容装置３によれば、図１２に示すように、第１筐体部３１０と第２筐体部３２０が相対的に回転している場合、操作スイッチ３２２が露出する。操作スイッチ３２２は、第２筐体部３２０に配置され、ユーザの指の近くに位置するので、ユーザは操作スイッチ３２２を容易に押下できる。
【０１９５】
また、すでに述べたように、操作スイッチ３２２は、全体的に、肌接触面２１０ａに対して所定の角度傾いている。この傾きによって、操作スイッチ３２２が、ユーザの指に当たりやすくなり、押下しやすくなる。
【０１９６】
（４）光照射型美容装置３によれば、第１接続部３１ｂに対する第２接続部３１ｃの開き角度に対応して、キセノン管２１２の発光パターンを切り替えるので、ボタン操作によりユーザが発光パターンを切り替えなくてよい。この結果、キセノン管２１２の発光パターンの切り替えに係る操作性が向上する。
【０１９７】
（５）光照射型美容装置３によれば、通風孔３１０ｅが第１筐体部３１０の対向面３１０ｃを含む後端部３１０ｂに設けられており、例えば、図１１に示すように、第１筐体部３１０および第２筐体部３２０が直線状に配列されている場合、第２筐体部３２０の先端部３２０ａによって、ユーザの指が触れないようにカバーされる。
【０１９８】
このため、第１筐体部３１０内のエアフローがユーザの指によって阻害されることを防止することができる。キセノン管２１２の冷却を安定して行うことができる。
【０１９９】
すでに述べたとおり、通風孔３１０ｅと第２筐体部３２０の間には、わずかに隙間が設けられている。このため、通風孔３１０ｅが第２筐体部３２０によって塞がれてしまうことはない。
【０２００】
（６）対向面３１０ｃは、図１２に示すように、第２筐体部３２０を把持したユーザの指（例えば、図１２の親指Ｆ）から離れるように傾斜している。このため、通風孔３１０ｅがユーザの指によって塞がれてしまうことを防止することができる。
【０２０１】
結果として、第１筐体部３１０内のエアフローがユーザの指によって阻害されることを防止することができる。キセノン管２１２の冷却を安定して行うことができる。
（変形例３）
【０２０２】
以上、第３の実施形態の光照射型美容装置３について説明した。光照射型美容装置３は種々の変形が可能である。
【０２０３】
例えば、ヒンジ３１として、段階的に角度が変更できるクリックヒンジを採用してもよい。
例えば、装置本体３０と光照射部２０ａを一体形成してもよい。
キセノン管２１２の発光の代わりにレーザーで体毛を除去してもよい。
光照射部２０ａが、例えばペルチェ素子を有し、肌面を温めたり、冷却したりしてもよい。接触ローラ２２６は、例えば、円柱形状、多角柱形状または球形状のいずれかの形状を有してもよい。
【０２０４】
光照射部２０ａが電極を有し、筋肉を運動させることを目的として肌面に電流を流し、筋肉を強制的に収縮運動させるように構成してもよい。電流による筋肉の強制的な収縮運動をＥｌｅｃｔｒｉｃａｌ  Ｍｕｓｃｌｅ  Ｓｔｉｍｕｌａｔｉｏｎ（ＥＭＳ）と呼ぶ。電流は交流であることが望ましく、周波数は特に限定されない。
【０２０５】
また、第１〜３の実施形態および各変形例の要素を適宜組み合わせたり、いくつかの構成を省略したりすることもできる。
【符号の説明】
【０２０６】
１、２、３…光照射型美容装置、１０、３０…装置本体、２０、２０ａ…光照射部、３１…ヒンジ、１１０…端子部、１１２、３１２…操作部、１１４、３１４…冷却ファン、１３０、３１５…制御基板、１３１…メモリ部、１３２…検知制御部、１３３…ファン制御部、１３４…電圧変換部、１３５、３１６…発光制御部、２１０…筐体、２１２…キセノン管、２１３…保持部、２１４…透過ガラス、２１６…装飾ローラ、２２０…接触ローラ部、２２１…基板、２２２，２２３…軸保持台、２２４…装飾ローラ軸、２２５…接触ローラ軸、２２６…接触ローラ、２２７…接触ローラギア、２２８…装飾ローラギア、２３０…検知部、２３１…保持部、２３２ａ，２３２ｂ…検知対象、２３３，３３３ａ，３３３ｂ…センサ、３１０…第１筐体部、３２０…第２筐体部、３２２…操作スイッチ、３２３…コンデンサ、３２４…センサ部、３３０…検知部。
【図１】
2018033923.tif 000003
【図２】
2018033923.tif 000004
【図３】
2018033923.tif 000005
【図４】
2018033923.tif 000006
【図５】
2018033923.tif 000007
【図６】
2018033923.tif 000008
【図７】
2018033923.tif 000009
【図８】
2018033923.tif 000010
【図９】
2018033923.tif 000011
【図１０】
2018033923.tif 000012
【図１１】
2018033923.tif 000013
【図１２】
2018033923.tif 000014
【図１３】
2018033923.tif 000015